(57)【要約】【課題】同一の１〜５又は６モジュールを使用して射撃を行うことが可能なりゅう弾砲用のモジュール式発射装薬において、５又は６モジュールを使用した時の燃焼室の最大圧力を従来と同等にし、且つ、１モジュールを使用した時に飛翔体の初速安定化を図ることができる発射装薬の提供。【解決手段】発射薬、点火薬、並びに外筒、内筒、及び点火薬筒から構成される焼尽容器を構成品として含む発射装薬において、該外筒のニトロセルロース／セルロース誘導体の質量比を２．０〜３．０とすることを特徴とする前記発射装薬。【選択図】図１
2016070625.tif 000002
【特許請求の範囲】
【請求項１】
発射薬、点火薬、並びに外筒、内筒、及び点火薬筒から構成される焼尽容器を構成品として含む発射装薬において、該外筒のニトロセルロース／セルロース誘導体の質量比を２．０〜３．０とすることを特徴とする前記発射装薬。
【請求項２】
前記点火薬筒のニトロセルロース／セルロース誘導体の質量比を２．０〜３．０をとする、請求項１に記載の発射装薬。
【請求項３】
前記内筒のニトロセルロース／セルロース誘導体の質量比を２．０〜２．５をとする、請求項１又は２に記載の発射装薬。
【発明の詳細な説明】
【技術分野】
【０００１】
本発明は、りゅう弾砲用の発射装薬に関する。より詳しくは、本発明は、従来技術では成しえなかった５又は６モジュールでの射撃の際に発生する最大圧力を上げることなく、１モジュールを使用した時の飛翔体の初速安定化を図ることが可能な発射装薬に関する。
【背景技術】
【０００２】
りゅう弾砲などの火砲においては、飛しょう体とそれを飛翔させるための発射装薬が用いられる。従来のりゅう弾砲に使用されている発射装薬は、１モジュールから最大５又は６モジュールまでを編合し、組み合わせることで、飛しょう体の初速を調整することができ、射距離を変更することができる。
【０００３】
りゅう弾砲に使用される発射装薬は、発射薬、点火薬、及びそれらを収納するための焼尽容器によって構成されている。一般に焼尽容器は、発射薬や点火薬の爆発的な燃焼に伴う燃焼ガス圧力により、火砲内部で焼尽するよう設計されている。また、一般に焼尽容器は、外筒、内筒、及び点火薬筒の３部品から構成され、それらを組み合わせ、積層部や接合部を接着することで容器としての機能を成している。
【０００４】
従来の発射装薬は、すべてのモジュール数での射撃において、安定した初速性能が求められる。しかし、１モジュールでの射撃においては、次の理由により、初速が安定しないことがわかっている。
飛しょう体は、砲内で発射装薬が燃焼した際に発生する圧力を受けて、弾帯を切開しながら進行する。しかし、１モジュールでは、弾帯切開に伴い飛しょう体が砲から受ける阻害抗力に対し、飛しょう体を常に加速するだけの十分な圧力を発生することができていない。そのため、飛しょう体は砲内で減速やときには一旦停止し、その挙動が射撃毎で異なるため初速が安定しない。
【０００５】
不安定な飛しょう体の挙動を改善するためには、弾帯を切開する低圧域（２５ＭＰａ〜４０ＭＰａ）において、従来よりも圧力の上昇速度を上げ、飛しょう体へ与える力を増加させることで、飛しょう体の減速又は一旦停止の現象をより軽減し、より安定した飛しょう体挙動となる。
以下の特許文献１には、主発射薬よりもガス発生速度の速い１種類以上の初速安定化用発射薬を、点火薬筒の外側に主発射薬とは分離して配置したことを特徴とする発射装薬が開示され、りゅう弾砲用のモジュール式発射装薬において、５又は６モジュールを使用した時に燃焼室内に負差圧等の異常圧力が発生せず、かつ、１モジュールを使用した時に飛翔体の初速安定化を図ることを特徴としている。
また、以下の特許文献２には、発射装薬内又は弾薬内に、発射薬と共に収容されるガス発生材であって、包装材と、包装材内部に収納されたガス発生剤とからなり、包装材は、ニトロセルロースを２０〜９０質量％含有する焼尽性材料からなり、かつ、火炎密閉性を有することを特徴とする発射装薬が開示され、発射薬よりも遅れて燃焼ガスを発生させるガス発生材を使用することで飛しょう体の初速変動を抑制した発射装薬を提供している。
【０００６】
１モジュールでの初速安定性を向上させるために燃焼初期の圧力上昇速度を上げる場合、当該モジュールを５又は６モジュールでも使用するため、大きく次の２つの問題がある。１つ目は最大圧力である。詳しくは、低圧域の圧力上昇速度が増大するため、５又は６モジュールの最大圧力が増加することである。最大圧力が増加することは、飛しょう体の耐久圧力に近づくことであり、場合によっては、飛しょう体及び／又は砲の許容圧力を超え、飛しょう体及び／又は砲を破壊する可能性がある。つまり、１モジュールでの初速安定性を向上させる場合、同時に５又は６モジュールの最大圧力を飛しょう体や砲の耐久圧力以下とすることが求められるため、最大圧力をできるだけ増加させない方法が必要である。２つ目は負差圧である。詳しくは、薬室の前方部と後方部に圧力差が生じ、前方部の圧力が後方部の圧力を超えたときに負差圧が発生する。この負差圧により薬室内で振動燃焼が生じ、その結果、砲の破損につながる恐れがあるため、従来よりも燃焼初期の圧力上昇速度の速いものを加えても、負差圧を抑えることが必要である。
さらに、コストについても考慮する必要がある。従来の技術では、新たに圧力上昇速度を増加させる構成品を組み合わせることで問題解決を図っているが、新しい構成品を組み込むことにより、コストの増加が懸念される。
【０００７】
１モジュールにおいて、燃焼初期の圧力上昇速度を増加させるため、新たに圧力上昇速度を増加させる構成品を組み込むことは、圧力上昇を抑え弾丸の初速を上げる効果を与える漸増性（燃焼の経過とともに圧力が徐々に上昇する性質）を持つ主発射薬の薬量を減らし、初期の圧力上昇速度を増加させるが圧力も増加させる効果を与える漸減性（燃焼の経過とともに圧力が徐々に減少する性質）を持つ構成品を追加することになるため、漸減性と漸増性のトレードオフの関係となり、漸減性を持つ構成品を追加する限り、その量に応じて、５又は６モジュールの最大圧力は必ず増加する。
【０００８】
特許文献１と特許文献２は、いずれも形状の小さな火薬を使用して、低圧域の圧力上昇速度を増加させる発明を提供しており、従来品に新たな構成品を加えており、また、発射薬、点火薬、及び焼尽容器の中で最も燃焼速度の遅い発射薬により改善しているため、燃焼完了点が遅く、弾帯を切開する弾の移動距離に相当する低圧域にのみ作用させることが難しいため、５又は６モジュール時の最大圧力の上昇を抑えることはできない。燃焼完了点を早くするために、火薬の燃焼距離であるウェブを小さくする方法は考えられるが、低圧域にのみ作用する火薬形状は、非常に小さく、製造が困難であることから、現実的には不可能である。さらに、特許文献１と特許文献２のいずれにおいても、新たな構成品を組み込むため、発射薬全体の最大装てん薬量は低下し、また、コストも増加傾向にあることが懸念される。
【先行技術文献】
【特許文献】
【０００９】
【特許文献１】特開２０１２−２１６８５号公報
【特許文献２】特開２０１４−９２３０７号公報
【発明の概要】
【発明が解決しようとする課題】
【００１０】
１モジュールでの初速安定性を向上させるために燃焼初期の圧力上昇速度を上げる場合、当該モジュールを５又は６モジュールでも使用するため、２つの問題があることは前記したとおりである。これらの問題を解決するため、本願発明者らは、１モジュールの燃焼初期の圧力上昇速度増加と５又は６モジュールの最大圧力を同時に従来品と同等とすることを達成するためには、従来の構成品で、まずは最大圧力を下げる工夫を行い、その後又は同時に、燃焼初期の圧力上昇速度を増加させる工夫を行う必要があることを突き止めた。そこで、最大圧力低減と燃焼初期の圧力上昇速度向上を同時に達成する手段として、焼尽容器の外筒のニトロセルロースとセルロース誘導体の比率を高める手段を考えた。詳しくは、５又は６モジュールの最大圧力には、各構成品の燃焼完了点（砲内で燃焼が完了する時間）が大きな影響を与えていた。中でも、焼尽容器の構成品である外筒は、燃焼完了点が遅いため、最大圧力を上げる要因の一つとなっていた。そこで、外筒のニトロセルロース／セルロース誘導体の比率を高め、燃焼完了点を、弾の移動距離に相当する圧力領域付近まで早くすることで最大圧力を低減し、さらにニトロセルロース／セルロース誘導体の燃焼性を上げることで、弾の移動距離に相当する圧力領域付近の総エネルギーを増加させ、燃焼初期の圧力上昇速度を向上させる効果を同時に達成することができないかと考えた。また、外筒のニトロセルロース／セルロース誘導体の比率は変更せず、密度や厚みを変更して外筒の燃焼完了点のみ上記同様に早くし、最大圧力を下げる方法をも考えた。
【００１１】
かかる従来技術の問題や解決策に鑑み、本発明が解決しようとする課題は、１モジュール射撃時の飛翔体の初速を安定化させた装薬において、５又は６モジュール射撃時に砲内に発生する最大圧力を従来品と同等とすることができる発射装薬を提供することである。
【課題を解決するための手段】
【００１２】
本発明者らは、前記課題を解決すべく鋭意研究し実験を重ねた結果、以下の構成によって前記課題を解決しうることを見出し、本発明を完成するに至ったものである。
すなわち、本発明は以下の通りのものである。
［１］発射薬、点火薬、並びに外筒、内筒、及び点火薬筒から構成される焼尽容器を構成品として含む発射装薬において、該外筒のニトロセルロース／セルロース誘導体の質量比を２．０〜３．０とすることを特徴とする前記発射装薬。
【００１３】
［２］前記点火薬筒のニトロセルロース／セルロース誘導体の質量比を２．０〜３．０をとする、前記［１］に記載の発射装薬。
【００１４】
［３］前記内筒のニトロセルロース／セルロース誘導体の質量比を２．０〜２．５をとする、前記［１］又は［２］に記載の発射装薬。
【発明の効果】
【００１５】
本発明に係る発射装薬は、外筒、内筒、及び点火薬筒から構成される焼尽容器の燃焼性を調整し、燃焼完了点を弾帯切開時の弾の移動距離に相当する圧力領域に集中させることによって、最大圧力を上げずに、１モジュールの初速安定性を向上させることができ、且つ、従来のコストで生産できる装薬である。本発明により、従来から使用されている焼尽容器の組成を変え、燃焼完了点を調整したことで、最大圧力が増加せず、初速安定性に寄与する発射装薬を提供することができる。
【図面の簡単な説明】
【００１６】
【図１】発射装薬の構成図である。
【図２】従来の１モジュール発射装薬の圧力−時間曲線と焼尽容器の燃焼完了点を示すグラフである。
【図３】ニトロセルロース／セルロース誘導体の重量比を２．５としたときの１モジュール発射装薬の圧力−時間曲線と焼尽容器の燃焼完了点を示すグラフである。
【発明を実施するための形態】
【００１７】
以下、本発明を、その好ましい態様に基づいて、詳細に説明する。
図２に示すように、従来の外筒では、ニトロセルロース／セルロース誘導体の質量比を１．６としていたが、質量比１．６では、外筒の燃焼による圧力上昇の効果が、弾帯切開時の弾の移動距離に相当する圧力域に集中して作用せず、最大圧力に近い領域で燃焼が完了する。燃焼完了点を弾帯切開の領域に調整するためには、ニトロセルロース／セルロース誘導体の質量比を高くし、燃焼速度を速めることで調整することができる。また、従来使用されている内筒は、ニトロセルロース／セルロース誘導体の質量比が１．６であったが、燃焼後に発生する残さを発生させないために、ニトロセルロースの窒素量を高めているため、燃焼速度が速い。そのため、内筒は、弾帯切開の時間域より更に早い時間域で燃え尽きてしまっており、弾帯切開時の圧力上昇に寄与していない。点火薬筒においても、内筒と同様に、ニトロセルロース／セルロース誘導体の質量比が４．０であったため、燃焼初期の段階で燃え尽きてしまい弾帯切開時には点火薬筒の燃焼圧力が寄与していない。つまり、内筒、点火薬筒においては、ニトロセルロース／セルロース誘導体の質量比の調整により、燃焼速度を遅くすることで、燃焼完了点を弾帯切開の領域に調整することができる。
【００１８】
そこで、本実施形態においては、焼尽容器の外筒のニトロセルロース／セルロース誘導体の質量比を２．０〜３．０とする。また、好ましくは、点火薬筒のニトロセルロース／セルロース誘導体の質量比を２．０〜３．０とし、さらに内筒のニトロセルロース／セルロース誘導体の質量比を２．０〜２．５とする。
【００１９】
また、本実施形態においては、外筒に使用するニトロセルロースの窒素量は１２．６％であることが好ましい。焼尽容器の中で最も体積の多い外筒のニトロセルロース／セルロース誘導体の質量比を３．０以上とすることは、燃焼速度が速くなりすぎてしまい、負差圧の発生要因となり、他方、２．０以下とすると弾の移動距離に相当する圧力上昇速度の効果が希薄となる。
【００２０】
また、本実施形態においては、点火薬筒に使用するニトロセルロースの窒素量は１２．６％であることが好ましい。点火薬筒のニトロセルロース／セルロース誘導体の質量比を３．０以上とすることは、燃焼速度が速くなりすぎてしまい、負差圧の発生要因となり、他方、２．０以下とすると弾の移動距離に相当する圧力上昇速度の効果が希薄となる。
【００２１】
また、本実施形態においては、内筒に使用するニトロセルロースの窒素量は１２．６％であることが好ましい。この場合、ニトロセルロース／セルロース誘導体の質量比が２．５においても燃焼速度は遅くなり、弾帯切開時の圧力上昇速度の増加に寄与する。内筒のニトロセルロース／セルロース誘導体の質量比を２．０以下とすることは、焼尽性が低下し、燃焼残さが増加する要因となる。
【００２２】
焼尽性容器に用いるセルロース誘導体は、容器の強靱性を確保するために用いる。例えば、クラフトパルプ、セルロースアセテート（ＣＡ）、セルロースアセテートプロピオネート（ＣＡＰ）、セルロースアセテートブチル（ＣＡＢ）、及びエチルセルロースから成る群から選ばれる１種又は２種以上の混合物が挙げられる。
【００２３】
焼尽性容器に用いる安定剤としては、硝酸エステルの自然分解を防止するものであれば
どのようなものでも構わない。安定剤の例としては、メチルジフェニルウレア（ＡＫ２）、エチルセントラリット（ＥＣＬ）、ジフェニルアミン（ＤＰＡ）、２−ニトロジフェニルアミン（２−ＮＤＰＡ）等が挙げられる。バインダーとして用いる汎用樹脂としては、スチレンブタジエンラテックス、アクリル樹脂、ポリエチレン、ポリスチレン、ポリアミド、ポリブタジエン、ポリウレタン等が挙げられる。
【００２４】
焼尽性容器の密度は、８００〜１０００ｋｇ／ｍ３の範囲が好ましい。容器の密度とは、焼尽性容器の質量と体積を測定して求めた値であり、密度が８００ｋｇ／ｍ３を下回ると容器の機械的強度が低下し、火砲への装填衝撃に耐えられず破損するおそれがある。また、１０００ｋｇ／ｍ３を超えると製造時に金型内で容器が高圧縮され発火の危険が高まるため好ましくない。
【００２５】
焼尽容器の厚みは、弾帯切開時の領域まで燃焼が継続する厚みとすることが好ましく、詳しくは、外筒、内筒が２．３ｍｍ以上であり、点火薬筒が１．９ｍｍ以上であることが好ましい。
【実施例】
【００２６】
以下、実施例により、本発明を具体的に説明する。
尚、本発明は、以下の実施の形態に限定されるものではなく、その要旨の範囲内で種々変形して実施することができる。
以下の実施例では以下の略号を用いる。
ＮＣ：ニトロセルロース
ＮＧ：ニトログリセリン
ＮＱ：ニトログアニジン
ＤＢＰ：ジブチルフタレート
ＥＣＬ：エチルセントラリット
ＫＳ：硫酸カリウム
ＫＰ：クラフトパルプ
（発射薬の組成）
発射薬の組成は、トリプルベース系の代表組成とした。詳しくは、ＮＣ２５質量％、ＮＧ２１％、ＮＱ５０％、ＤＢＰ１．５％、ＥＣＬ１％であり、この組成で練り上げたものを規定の形状になるよう圧伸成型により作製した。
【００２７】
（発射薬の形状）
発射薬の形状は、６角１９孔形状であり、薬長１４．４ｍｍ、薬径１４．０ｍｍ、孔径０．５ｍｍとした。
（発射装薬の形態）
焼尽容器の中に、発射薬、点火薬、焼食抑制剤、及び除銅剤を投入し、発射装薬とした。点火薬は、黒色火薬（等級１）、ＣＢＩ（多孔質又はフレーク状のシングルベース火薬）を１：１の割合で配合し、各５ｇ／モジュールずつとした。焼食抑制剤には、酸化チタンを使用しており、約６０ｇ／モジュールとした。除銅剤には、酸化スズを使用しており、約３０ｇ／モジュールを配合した。
【００２８】
（評価方法）
最大圧力、燃焼初期の圧力上昇速度を比較するため、射撃装置を使用した射撃試験を行った。射撃装置は、１５５ｍｍりゅう弾砲を模擬した装置を使用しており、薬室容積、形状は同一であり、砲身長は約４ｍと実砲身より短い砲身長のものを使用した。射撃装置には、圧力センサーを４カ所設置し、薬室前方と薬室後方の２点の圧力差の絶対値を負差圧として算出した。残さは、目に見える残さを確認し、次弾の射撃に支障のない大きな残さがなければ残さなしとした。圧力上昇速度は、弾帯切開の弾の移動距離に相当する圧力域である２５ＭＰａ〜４０ＭＰａまでの圧力変化と時間変化から算出した。
【００２９】
（比較例１）
ＮＣ、ＫＰ、汎用樹脂、ＥＣＬ、水を攪拌機に投入した後、水溶液が均一に分散されるよう撹拌を行い、スラリー状の水溶液を得た。次いで、スラリー状の水溶液を吸引してフェルト状の筒体としたのち、金型で加温プレスして硬化させることで焼尽容器を製作した。外筒に使用したニトロセルロースの窒素量は、１２．６％であり、内筒に使用したニトロセルロースの窒素量は、１３．４％であり、それぞれ、ニトロセルロース／セルロース誘導体の質量比を１．６となるように調整した。点火薬筒は、ニトロセルロースの窒素量１２．６％を使用し、ニトロセルロース／セルロース誘導体の質量比を４．０となるように調整した。
【００３０】
（比較例２〜３）
比較例１の焼尽容器に、主発射薬と初速安定化発射薬を配合した発射装薬とした。初速安定化発射薬の組成は、主発射薬と同じトリプルベース系発射薬を使用し、形状は、単孔形状とし、薬長７．０ｍｍ、薬径１．６ｍｍ、孔径０．２ｍｍとなるよう調整した。初速安定化発射薬は、絹製の袋に入れた状態で点火薬筒の外側に配置した。
【００３１】
（実施例１）
比較例１の内筒、点火薬筒を使用し、外筒は、ニトロセルロース／セルロース誘導体の質量比が３．０となるように調整した。
【００３２】
（実施例２）
外筒、内筒、及び点火薬筒が、ニトロセルロース／セルロース誘導体の質量比で３．０となるように調整した。
【００３３】
（実施例３）
外筒、内筒、及び点火薬筒が、ニトロセルロース／セルロース誘導体の質量比で２．５となるように調整した。
【００３４】
（実施例４）
比較例１の内筒、点火薬筒を使用し、外筒は、ニトロセルロース／セルロース誘導体の質量比が２．５となるように調整した。
【００３５】
（実施例５）
外筒、内筒、及び点火薬筒が、ニトロセルロース／セルロース誘導体の質量比で２．０となるように調整した。
【００３６】
（実施例６）
比較例１の内筒、点火薬筒を使用し、外筒は、ニトロセルロース／セルロース誘導体の質量比が２．０となるように調整した。
【００３７】
６モジュールの初速を合わせたときの１モジュールの圧力上昇速度の増加率、６モジュールの圧力増加率、負差圧、残さを比較した。結果を以下の表１に示す。
【００３８】
【表１】
2016070625.tif 000003
【００３９】
表１から分かるように、従来品である比較例１に対して、初速安定化発射薬を配合した比較例２〜３、焼尽容器の燃焼完了点を調整した実施例１〜６はいずれも１モジュールの圧力上昇速度が増加している。つまり、すべての装薬において、従来品より１モジュールの弾丸挙動が安定することを示している。実施例１〜６で示した装薬は、外筒、内筒、及び点火薬筒の一部又は全部の燃焼完了点を弾帯切開の弾の移動距離に相当する圧力領域に近づけており、比較例２〜３の初速安定化装薬に比べ、圧力上昇速度が速く、より効率的に初速安定化効果を発揮している。
【００４０】
６モジュールの圧力上昇率は、比較例２〜３のように新たな火薬を組み込んだ装薬では、最大圧力が上昇しており、薬量が増加するとともに最大圧力は増加している。それに比べ焼尽容器の燃焼完了点を調整した実施例１〜６は、いずれも最大圧力は従来品と同等の圧力となっており、最大圧力を上げずに初速安定化効果を得ることを可能としている。
【００４１】
負差圧に関しては、燃焼性を最大限に高めた実施例２が最も高く、燃焼性を落としていくにつれ、負差圧も減少した。特に外筒の燃焼性を高めると、点火薬筒内部からの燃焼より速く装薬の外周部が燃えていくため、均一に火炎が進行せず、負差圧が増加すると考えられる。負差圧の許容値は、３４．５ＭＰａ以下であるため、すべての実施例において許容値内となっているが、焼尽容器の組成として、外筒、内筒、及び点火薬筒のＮＣ／ＫＰ質量比が２．５以下であることが好ましい。
【産業上の利用可能性】
【００４２】
本発明に係る発射装薬は、外筒、内筒、及び点火薬筒から構成される焼尽容器の燃焼性を調整し、燃焼完了点を弾帯切開時の弾の移動距離に相当する圧力領域に集中させることによって、最大圧力を上げずに、１モジュールの初速安定性を向上させることができ、且つ、従来のコストで生産できる装薬であるため、最大圧力が増加せず、初速安定性に寄与する発射装薬として、好適に利用可能である。
【図１】
2016070625.tif 000004
【図２】
2016070625.tif 000005
【図３】
2016070625.tif 000006